(57)【要約】【課題】バー、クラブ、キャバレー、キャバクラ、ラウンジ、スナックなどの飲食店が入居しているテナントビルの表看板や各店のドア横の看板だけでは、顧客が店のドアを開けるまでどのような雰囲気の店であるのか判らない不安、法外な料金を請求されるのではないかという不安を、モニタ装置を通じて店案内情報を表示させることで解消させることにある。【解決手段】バー、クラブ、キャバレー、キャバクラ、ラウンジ、スナックなどの飲食店が入居しているテナントビルの１階入口近傍の壁面に、光ディスク駆動装置又はメモリ駆動装置を信号接続したモニタ装置を取り付けて、又は当該モニタ装置を１階ロビーの天井から吊り下げた状態で取り付けて、当該モニタ装置を利用した店案内情報の表示契約をした各店の店案内情報を、タイマ設定された所定時間、短時間で順に切替えて繰り返しモニタ表示して、この店案内情報により、店名、店の種類、店があるフロア階などを表示させるようにした。【選択図】図１
2007133338.tif 000002
【特許請求の範囲】
【請求項１】
バー、クラブ、キャバレー、キャバクラ、ラウンジ、スナックなどの飲食店が入居しているテナントビルの１階入口近傍の壁面に、光ディスク駆動装置又はメモリ駆動装置を信号接続したモニタ装置を取り付けて、又は当該モニタ装置を１階ロビーの天井から吊り下げた状態で取り付けて、当該モニタ装置を利用した店案内情報の表示契約をした各店の店案内情報を、タイマ設定された所定時間、短時間で順に切替えて繰り返しモニタ表示して、この店案内情報により、店名、店の種類、店があるフロア階などを表示することを特徴とする店案内情報の表示方法。
【請求項２】
モニタ装置の近傍個所に、テナントビル内のモニタ装置を利用した店案内情報の表示契約をした各店の案内チラシ、割引券、サービス券などの印刷物を置いて顧客に提供できる印刷物用什器、又はこれら印刷物の発行装置を備える請求項１に記載の店案内情報の表示方法。
【請求項３】
モニタ装置による表示又は前記印刷物の何れかにおいて、店のメニュー又は料金体系を表示させる請求項１又は２に記載の店案内情報の表示方法。
【請求項４】
モニタ装置に表示される各店の店案内情報に、店の接客スタッフの画像が含まれる請求項１乃至３のいずれか記載の店案内情報表示方法。
【請求項５】
モニタ装置による各店の店案内情報に加えて、モニタ装置又はその近傍に設けたスピーカ装置から音声案内情報とバックグラウンド音楽を出力させる請求項１乃至４のいずれかの項に記載の店案内情報表示方法。
【発明の詳細な説明】
【発明の詳細な説明】
【技術分野】
【０００１】  本発明は、バー、クラブ、キャバレー、キャバクラ、ラウンジ、スナックなどの飲食店が入居しているテナントビルの表看板や各店のドア横の看板だけでは、顧客が店のドアを開けるまでどのような雰囲気の店であるのか判らない不安、法外な料金を請求されるのではないかという不安を、モニタ装置を通じて店案内情報を表示させることで解消する、店案内情報の表示方法に関する。
【背景技術】
【０００２】  クラブ、バー、キャバレー、スナックなどの飲食店の多くが入居しているテナントビルには、通りに面した壁面や１階ロビーに、入居各店の比較的小さな電光看板が並んで取り付けられているが、新規の顧客は、この看板を見ただけでは、どのような雰囲気の店が判らなく、料金体系はどのようになっているのか、つまり、ぼったくりの店であるのか不安を感じることがあり、また、店名が記載された小さな電光看板だけでは、新規顧客の吸引力に欠ける。
このため、都市の繁華街では、顧客の要望に合わせた店を顧客に紹介して、顧客をその店まで案内するという無料案内所という名称の店が出現するに至っている。
また、比較的大きな店には、店のドアの外にモニタ装置を設けて、店の案内情報を表示している店、店の雰囲気に合った音楽映像を流している店もある。
【発明が解決しようとする課題】
【０００３】  しかしながら、上記の無料案内所は、いわゆる風俗店を対象にしたものが多く、都市の繁華街に数多く在る、バー、クラブ、キャバレー、キャバクラ、ラウンジ、スナックなどの店を紹介することまで対応できない。また、これらの店の多くは無料案内所による紹介制度を利用しない。また、無料案内所の数が少ないために、顧客がすぐに利用できるとは限らない。
一方、店のドアの外にモニタ装置を設けて、店の案内情報を表示する方法は、１つのフロア階に複数の店が入居して、各フロア階のスペースが広くない殆どのテナントビルでは、各店のドアの外にモニタ装置を取り付ける余裕がなく、また、各店がモニタ装置などを設備することは不経済で維持管理が容易ではない。
【０００４】  本発明は、繁華街の飲食店が入居しているテナントビルの入口辺りで、テナントビルに入居している店の種類や料金体系などの店案内情報を、モニタ装置を見て、更に好ましくは、顧客が好みの雰囲気の店を容易に探し出すことができ、顧客が納得できる料金で、安心してその店で楽しむことができ、しかも、設備コストが経済的で維持管理が容易な、店案内情報の表示方法を提供することにある。
【課題を解決するための手段】
【０００５】  請求項１による発明は、バー、クラブ、キャバレー、キャバクラ、ラウンジ、スナックなどの飲食店が入居しているテナントビルの１階入口近傍の壁面に、光ディスク駆動装置又はメモリ駆動装置を信号接続したモニタ装置を取り付けて、又は当該モニタ装置を１階ロビーの天井から吊り下げた状態で取り付けて、当該モニタ装置を利用した店案内情報の表示契約をした各店の店案内情報を、タイマ設定された所定時間、短時間で順に切替えて繰り返しモニタ表示して、この店案内情報により、店名、店の種類、店があるフロア階などを表示することを特徴とする店案内情報の表示方法である。
【０００６】  店案内情報は、店案内情報の表示契約をした各店毎に作成して、各店の店案内情報を１枚の光ディスク又は１個の読出し書き換え可能なメモリ媒体内に格納して、光ディスク駆動装置又はメモリ駆動装置を通じてモニタ装置に画像表示させる。
上記駆動装置及びモニタ装置は、タイマ設定された所定時間、駆動する。モニタ装置は、場所を取らない液晶モニタ装置、プラズマモニタ装置であることが好ましいが、ブラウン管式のモニタ装置でも構わない。モニタ装置の大きさは、設備コスト、取付け場所の広さなどの条件があるために、限定されるものではないが、少なくとも１２インチ以上、更に好ましくは１７インチの見易い大きさのものを使用する。
【０００７】  各店の店案内情報は、秒単位、例えば、数秒〜１分以内の短時間、順に切替えて繰り返しモニタされ、各店に割り当てられた時間は、各店均等であってもよい。この店案内情報は、この情報は管理会社による有料の契約のよって行われ、情報の表示時間は各契約店ともに均等でってもよく、また、契約金額に応じて表示時間に違いをもたせてもよい。
モニタ表示される店案内情報は、店名、店の種類、店があるフロア階などがあり、更に好ましくは、店内の雰囲気を撮影した映像又は写真をモニタ表示して顧客が店内の雰囲気を知ることができるようにする。店の種類とは、バー、クラブ、キャバレー、キャバクラ、ラウンジ、スナック、焼き鳥店、各種料理店などの違いをいう。
【０００８】  請求項２の発明による店案内情報の表示方法では、更に、モニタ装置の近傍個所に、テナントビル内のモニタ装置を利用した店案内情報の表示契約をした各店の案内チラシ、割引券、サービス券などの印刷物を置いて顧客に提供できる印刷物用什器、又はこれら印刷物の発行装置を備える。
【０００９】  モニタ装置による店案内情報に加えて、上記印刷物を顧客に提供できるようにしたのは、モニタ表示する各店の店案内情報の表示時間が秒単位の短い時間であることによる情報不足を補い、顧客が店を間違えるのを防ぎ、顧客が次回にその店に行くことができるようにし、また、割引券、サービス券などを発行できるようにするためにある。
各店の店案内情報が印刷された印刷物は、モニタ装置の近くに設けられた、各店毎に区分された専用の什器に入れられて、顧客が容易に取り出せるようにしておく。この什器は、例えば、プラスチック板製又は金属線で形成された状差しの如き形状のものである。そして、各店の印刷物の枚数が残り少なくなと、各店又は管理者が補充する。
【００１０】  請求項３の発明による店案内情報の表示方法では、請求項１又は２に記載の構成において、更に、モニタ装置による表示又は前記印刷物の何れかにおいて、店のメニュー又は料金体系を表示させる。
【００１１】  店のメニュー及び料金体系は、顧客が店を選択する際の、最も重要な要素であり、これをこの請求項３において、モニタ表示と印刷物の何れに表示しても構わないようにした。
【００１２】  請求項４の発明による店案内情報の表示方法では、請求項１乃至３のいずれか記載の構成において、更に、モニタ装置に表示される各店の店案内情報に、店の接客スタッフの画像が含まれる。
【００１３】  店の接客スタッフは、顧客にとって最も重要な判断材料の１つであるため、店の接客スタッフの顔容姿などを源氏名とともにモニタ表示できるようにすることが好ましい。
【００１４】請求項５の発明による店案内情報の表示方法では、請求項１乃至４のいずれかの項に記載において、更に、モニタ装置による各店の店案内情報に加えて、モニタ装置又はその近傍に設けたスピーカ装置から音声案内情報とバックグラウンド音楽を出力させる。
【００１５】  このように音声案内情報を加えて店案内情報の品質を向上させ、バックグラウンド音楽を利用して、顧客吸引力を向上させる媒体にすることが望まれる。
【００１６】  上述した各請求項による店案内情報の表示方法を実施するにあたり、モニタ装置などの設備機器を設置して維持管理する運営業者が、店案内情報の表示を希望する各店に対して、契約の基準として、無許可営業の店、ぼったくりの店などは契約しないという一定の基準を設ければ、このモニタなどを通じた店案内情報に対する顧客の評価が向上し、延いては契約各店の信頼性が向上する。
【発明の効果】
【００１７】  請求項１に記載の店案内情報の表示方法によれば、テナントビル内の店案内情報の表示契約をした加盟店舗の店案内情報を、テナントビルの１階入口近傍に設けたモニタ装置を通じて表示させるようにした結果、繁華街を歩きながら好みの雰囲気で予算に見合った店を探している顧客にとっては、ビルの入口辺りでモニタ装置に表示された店案内情報を見て、最適な店を見つけることができるようになった。このように、最適な店を見つけるための情報が、テナントビル単位で、ビルの入口辺りで得られるため、１件づつ店のドアを開けて、店の雰囲気を知り、料金はどのようになっているのかを問い合わせるという面倒な行為が不要になった。
本発明の店案内情報の表示方法を実施するためのモニタ装置などは、テナントビル毎に１台あれば足るため、設備コストを抑え、維持管理も容易にできるようになった。
【００１８】  請求項２に記載の店案内情報表示方法によれば、モニタ装置による店案内情報の表示に加えて、その近傍に、契約各店の案内チラシ、割引券、サービス券などの印刷物が提供できるようにした結果、顧客は、印刷物を通じて店の更に詳しい情報を得ることができ、店を間違えることも無くなった。また、次回に行く時に持っておくと、店名や所在地などを間違えない。また、印刷物に割引券、サービス券などの機能を持たせると、更に顧客吸引力が向上する。
【００１９】  モニタ装置による店案内情報に加えて、上記印刷物を顧客に提供できるようにしたのは、モニタ表示する各店の店案内情報の表示時間が秒単位の短い時間であることによる情報不足を補ったり、顧客が店を間違えて行かないようにしたり、顧客が次回に利用できるように持ち帰ることができるようにしたり、割引券、サービス券を発行できるようにするためにある。
印刷物は、モニタ装置の近くに各店毎に区分された専用の棚を設けて、モニタ表示された店の印刷物が容易に取り出すことができるようにしておく。この棚は、プラスチック板製の状差しの如き形状も含まれる。
そして、各店の印刷物の残り枚数が少なくなると、各店又は管理者が補充する。
【００２０】  請求項３に記載の店案内情報表示方法によれば、更に、モニタ装置による表示又は前記印刷物の何れかに、店のメニュー又は料金体系を表示させる店案内情報表示する方法とした結果、顧客は、安心して予算に合わせた店に行くことができるようになった。
【００２１】  請求項４に記載の店案内情報表示方法によれば、更に、モニタ装置に表示される各店の店案内情報に、店の接客スタッフを紹介した画像が含まれる店案内情報表示方法にした結果、顧客は好みのタイプの接客スタッフが居る店を前もって知った後、店に入ることができるようになり、顧客に対する信頼性が一層向上させることができるようになった。
【００２２】  請求項５に記載の店案内情報表示方法によれば、更に、モニタ装置による各店の店案内情報に加えて、モニタ装置又はその近傍に設けたスピーカ装置から音声案内情報とバックグラウンド音楽を出力させるようにした結果、顧客吸引力に優れ、店の雰囲気に合った、高品質の店案内情報を顧客に提供できるようになった。
【実施例１】
【００２３】  図１は、本発明の店案内情報の表示方法を実施化する店案内情報の表示システムの使用例を示しており、この店案内情報表示システムは、バー、クラブ、キャバレー、キャバクラ、ラウンジ、スナックなどの飲食店が入居しているテナントビル１０の１階入口２近傍の壁面Ｗに備えられた薄型モニタ装置１と印刷物用什器６に入れられている印刷物５ａ，５ｂ，５ｃ・・５ｎを顧客が見て、このテナントビルに入居している契約各店の店案内情報をもとに、好みの雰囲気の店で安心できる店を知ることができるものである。【００２４】  図１及び図２に示すように、この店案内情報の表示システムは、モニタ装置１と、光ディスク駆動装置の１つであるＤＶＤ装置２と、タイマ装置３と、契約各店の店案内情報が記録されたＤＶＤ（デジタルビデオディスク）４と、契約各店毎に店案内情報が印刷された印刷物５ａ，５ｂ，５ｃ・・５ｎと、印刷物用什器６とを備える。ＤＶＤ４に代えて、ＣＤ、ＣＤＲ，ＣＤＲＷ，メモリカード、メモリスティック、ＵＳＢメモリ、ＨＤ等の公知のメモリ媒体を用いてもよく、この場合には対応する駆動装置を使用する。このため、パソコンを利用することも可能である。
ＤＶＤ装置２とタイマ装置３は信号線で接続されて、ビルのコンセントから取り出した１００Ｖ家庭用電源で駆動する。
この店案内情報表示システムは、各店の店案内情報を記録した光ディスク又はメモリ媒体をテナントビル１０単位で備えるが、有線又は無線による通信回線を利用して、店案内情報を供給する管理会社から各テナントビル１０に向けて、契約各店の店案内情報をテナントビル１０に供給するシステムにしてもよい。【００２５】  図１及び図２では、店案内情報表示システムを、テナントビル１０の１階ロビーの壁面Ｗに形成した凹部Ｗ１内に、薄型モニタ装置１と光ディスク駆動装置の１つであるＤＶＤ駆動装置２とタイマ装置３とが収納されて、薄型モニタ装置１の前面を外方向に向けた状態で固定し、更にその前方を、凹部Ｗ１の開口縁に合わせた広さの透明強化ガラス７で覆って、モニタ装置４を保護させている。
薄型モニタ装置４の取付け個所は、テナントビル１０の１階ロビーの広さなど、ロビーの設けられている入居各店の看板の位置などがテナントビル毎に異なるため、テナントビル１０に合わせて決められる。図示していないが、薄型モニタ装置１を壁面Ｗに取り付けて、ビル１階のロビーの天井高さ近くにＤＶＤ駆動装置２とタイマ装置３とを設置してもよい。また、薄型モニタ装置１をビルの１階ロビーの天井面から吊り下げて固定してもよい。この他にも、ビルの１階ロビーが比較的広い場合には、薄型モニタ装置１などを、専用保護台に固定させて、床面に設置した状態で壁面Ｗに沿わせて固定するようにしてもよい。【００２６】  図３は、薄型モニタ装置１とＤＶＤ駆動装置２とタイマ装置３とを信号線で接続したシステム構成図を示している。この図によると、薄型モニタ装置１とＤＶＤ駆動装置２とは、２本の信号線Ｌ１，Ｌ２で接続されており、このうちの１本の信号線Ｌ１は、ＤＶＤに記録されている店案内情報データを、ＤＶＤ駆動装置２を通じて薄型モニタ装置１に送るための信号線であり、他の１本の信号線Ｌ２は、ＤＶＤ駆動装置２から薄型モニタ装置１に電力を供給する電源コードである。
そして、更に、ＤＶＤ駆動装置２とタイマ装置３とが電源コードＬ３で接続されて、タイマ装置３から電源コードＬ４を介して各装置１，２に電源が供給される。図示していないが、ＤＶＤ駆動装置２と薄型モニタ装置１とを電源コードでタイマ装置３に並列接続してもよい。
タイマ装置３は、薄型モニタ装置１とＤＶＤ駆動装置２の毎日の駆動時間帯を設定するために使用され、この時間帯の設定と調整は、テンキー３ａを利用して行われる。３ｂはこの設定調整の際に時間などを表示する７セグメント表示部であり、３ｃは電源スイッチである。勿論、他の構造を有する市販のタイマ装置を利用してもよい。【００２７】  図４は、電源スイッチ５によるＯＮ／ＯＦＦ操作で薄型モニタ装置１とＤＶＤ駆動装置２を駆動させるシステム構成図を示している。この図によるシステムでは、タイマ装置は使用せず、テナントビルの壁面などに取り付けた電源スイッチ８の手動操作で電源のＯＮ／ＯＦＦが行われる。Ｌ５はＤＶＤ装置２に電源を供給する電気信号線である。【００２８】  図５は、店案内情報の表示システムにおける駆動の流れを示したフロー図である。
この図において、タイマ装置で設定した時間がスタートし、或いは電源スイッチがＯＮされると（ステップ１）は、薄型モニタ装置とＤＶＤ駆動装置に電源が投入される（ステップ２）。
この状態になると、ＤＶＤに記録されている画像がＤＶＤ駆動装置を通じて読み出されて、薄型モニタ装置に表示され、最初にテナントビルの名が表示される（ステップ３）。
そして、この画面からすぐに、ＤＶＤ装置に記録されているＡ店の店案内情報が、短時間、例えば５秒間、表示される（ステップ４）。
そして、その後、次のＢ店の店案内情報が、短時間、例えば５秒間、表示される（ステップ５）。
このようにして、順に契約各店の店案内情報が表示されて、最後のＮ店の表示（ステップＮ）が終わると、再びステップ３の表示に戻り、この一連の表示をタイマ設定した時間繰り返す。
なお、スタート画面にテナント名を表示することなく、Ａ店の店案内表示からスタートさせるようにしてもよい。また、各店の店案内表示の他に、ＣＭ、地域情報、ＴＶ放映なども表示できるようにしてもよい。【００２９】  図６（ａ）及び（ｂ）は、何れも薄型モニタ装置に表示する店案内情報の時間割を説明する図であり、本システムでは、図５（ａ）に示すように、契約各店の店案内情報を表示する時間を均等に振り分けてもよく、また、図５（ｂ）に示すように、契約金額に応じて表示時間が決められるようにしてもよい。また、モニタ表示する順を契約金額に応じて決めるようにしてもよい。
【図面の簡単な説明】
【００３０】
【図１】本発明の店案内情報の表示方法を具現化した店案内情報の表示システムの使用例を示した図である。
【図２】同じくビルの壁面を断面で示した図である。
【図３】薄型モニタ装置とＤＶＤ駆動装置とタイマ装置とを信号線で接続したシステム構成図である。
【図４】電源スイッチによるＯＮ／ＯＦＦ操作で薄型モニタ装置とＤＶＤ駆動装置を駆動させるシステム構成図である。
【図５】店案内情報の表示システムにおける駆動の流れを示したフロー図である。
【図６】（ａ）及び（ｂ）は、何れも薄型モニタ装置に表示する店案内情報の時間割を説明する図である。
【符号の説明】
【００３１】    １    モニタ装置
２    ＤＶＤ装置
３    タイマ装置
３ａ  テンキー
３ｂ  ７セグメント表示部
３ｃ  （タイマ装置に設けられている）電源スイッチ
４    ＤＶＤ
５ａ，５ｂ，５ｃ・・５ｎ    印刷物
６    印刷物用什器
７    透明強化ガラス
８    （壁面に設けられている）電源スイッチ
１０    テナントビル
Ｗ    壁面
Ｗ１  凹部
【図１】
2007133338.tif 000003
【図２】
2007133338.tif 000004
【図３】
2007133338.tif 000005
【図４】
2007133338.tif 000006
【図５】
2007133338.tif 000007
【図６】
2007133338.tif 000008